(57)【要約】【課題】携帯端末から無線通信によりアクセス可能な通信装置において、携帯端末に対し、通信装置にアクセスするのに必要な接続用データを簡単且つ安全に通知し、且つ、接続用データを適宜更新できるようにする。【解決手段】通信装置は、携帯端末との間で直接又はネットワーク経由で通信するための通信部と、入力データを音波に変換してスピーカから出力させる音波送信部と、外部から通信部に接続して通信するのに必要な接続用データを、音波送信部から音波送信させる制御部と、を備える。そして、制御部は、その接続用データに基づき通信部にアクセスしてきた携帯端末との通信を許可する。【選択図】図１
2018195917.tif 000002
【特許請求の範囲】
【請求項１】
携帯端末から無線通信により直接又はネットワーク経由でアクセス可能な通信装置であって、
前記携帯端末との間で直接又はネットワーク経由で通信するための通信部と、
入力データを音波に変換してスピーカから出力させる音波送信部と、
外部から前記通信部に接続して通信するのに必要な接続用データを、前記音波送信部から音波送信させる制御部と、
を備え、前記制御部は、前記接続用データに基づき前記通信部にアクセスしてきた前記携帯端末との通信を許可するように構成されている、通信装置。
【請求項２】
前記接続用データは周期的に更新される、請求項１に記載の通信装置。
【請求項３】
前記通信部は、所定の近距離無線通信にて前記携帯端末との間で直接無線通信するように構成されており、
前記制御部は、電子決済を行う決済装置から指定された接続用データを前記音波送信部から音波送信させ、その後、該接続用データに基づき前記通信部に前記携帯端末が接続されると、前記通信部を介して、前記携帯端末と前記決済装置との間で送受信される決済用データを中継するよう構成されている、請求項１又は請求項２に記載の通信装置。
【請求項４】
前記通信部は、無線回線を含むネットワークを介して前記携帯端末との間で通信するように構成されており、
前記制御部は、前記ネットワークを介して前記通信部に接続するのに必要な接続用データを前記音波送信部から前記携帯端末に音波送信させるように構成されている、請求項１又は請求項２に記載の通信装置。
【請求項５】
当該通信装置は、前記携帯端末とネットワークとの間の通信を中継するアクセスポイントであり、
前記制御部は、当該通信装置に接続するのに必要な接続用データを前記音波送信部から音波送信させ、その後、該接続用データに基づき前記通信部に前記携帯端末が接続されると、該通信部を介して、前記携帯端末と前記ネットワークに接続された他の通信端末との間で送受信されるデータを中継するよう構成されている、請求項１又は請求項２に記載の通信装置。
【発明の詳細な説明】
【技術分野】
【０００１】
本開示は、携帯端末から無線通信によりアクセス可能な通信装置に関する。
【背景技術】
【０００２】
従来、店舗等で客が支払いを行う際に、客が所持する携帯端末を利用できるようにした決済システムが知られている。
例えば、特許文献１に記載された決済システムでは、店舗のキャッシュレジスターに接続された通信端末（以下、レジ用端末ともいう）が、客個人の携帯端末（以下、使用者端末ともいう）との間で、Bluetooth（登録商標）を利用した無線通信を行う。
【０００３】
そして、レジ用端末は、使用者端末から決済用のデータ（電子マネー、クレジットカード等の情報）を取得し、外部の決済用サーバを介して電子決済を行う。このため、客は、自身が所有する携帯端末を利用して簡単に購入代金を支払うことができる。
【０００４】
また、この種の決済システムとしては、例えば、特許文献２に記載のように、店舗サーバが無線ＬＡＮ用のアクセスポイントに接続されていて、店舗用の携帯端末との間で無線通信を行うことで、決済用のデータを、携帯端末を介して取得するように構成されたシステムも知られている。
【０００５】
そして、この種の決済システムにおいては、使用者端末から無線ＬＡＮ用のアクセスポイントに直接接続できるようにすることで、客は、店舗用の携帯端末を利用することなく、客が所有する使用者端末を利用して購入代金を支払うことができるようになる。
【先行技術文献】
【特許文献】
【０００６】
【特許文献１】特開２００２−９２４９７号公報
【特許文献２】特開２０１５−１８５０８９号公報
【発明の概要】
【発明が解決しようとする課題】
【０００７】
ところで、上記決済システムにおいて、客が所有する使用者端末と店舗内のレジ用端末との間で決済用の無線通信を行う際には、Bluetooth や無線ＬＡＮ等の近距離無線通信にて、使用者端末がレジ用端末にアクセスする必要がある。そして、そのためには、使用者端末に、レジ用端末にアクセスするのに必要な接続用データを入力する必要がある。
【０００８】
この接続用データは、決済用のデータを送受信するためのものであり、店舗のレジ付近への表記等によって公開すると、決済用のデータが外部に漏洩して悪用されることが考えられる。
【０００９】
このため、こうした決済用のデータは、購入者に対し店舗側から通知して使用者端末に登録させるのが一般的であるが、これでは使い勝手が悪い。またこの場合、決済用のデータを更新するのが難しく、安全性が低下するという問題もある。
【００１０】
本開示の一局面は、携帯端末から無線通信によりアクセス可能な通信装置において、携帯端末に対し、通信装置にアクセスするのに必要な接続用データを簡単且つ安全に通知し、且つ、接続用データを適宜更新できるようにすることが望ましい。
【課題を解決するための手段】
【００１１】
本開示の一局面の通信装置は、携帯端末から無線通信により直接又はネットワーク経由でアクセス可能な通信装置であり、無線通信を行うための通信部と、入力データを音波に変換してスピーカから出力させる音波送信部と、制御部とを備える。
【００１２】
そして、制御部は、外部から通信部に接続して通信するのに必要な接続用データを、音波送信部から音波送信させ、その接続用データに基づき通信部にアクセスしてきた携帯端末との通信を許可する。
【００１３】
このように、本開示の通信装置では、接続用データを音波にて送信することで、通信装置近傍で音波が届く範囲内に存在する携帯端末に対し、接続用データを通知する。従って、本開示の通信装置によれば、通信装置自身にアクセスするのに要する接続用データを、通信装置近傍の携帯端末に対し音波にて通知することができ、その携帯端末から通信要求があったときにだけ、通信を安全に実施することができるようになる。
【００１４】
このため、本開示の通信装置は、例えば、上述した決済システムにおいてレジ用端末として利用するようにすれば、購入者が所持する携帯端末（使用者端末）に対し接続用データを通知して、レジ用端末自身にアクセスさせることができるようになり、決済用の通信を安全に実施することができるようになる。
【００１５】
また、本開示の通信装置は、接続用データが周期的に更新されるようにすることで、携帯端末との間の通信をより安全に実施することができるようになる。
ここで、通信部は、所定の近距離無線通信にて携帯端末との間で直接無線通信するように構成されていてもよい。この場合、制御部は、電子決済を行う決済装置から指定された接続用データを音波送信部から音波送信させ、その後、その接続用データに基づき通信部に携帯端末が接続されると、通信部を介して、携帯端末と決済装置との間で送受信される決済用データを中継するよう構成されていてもよい。
【００１６】
このようにすれば、決済装置は、本開示の通信装置を介して、携帯端末との間で決済用の通信を行うことになり、不正な外部端末との間で直接通信することがないので、決済装置の内部データが漏洩するのを抑制できる。
【００１７】
一方、通信部は、無線回線を含むネットワークを介して携帯端末との間で通信するように構成されていてもよい。この場合、制御部は、ネットワークを介して通信部に接続するのに必要な接続用データを、音波送信部から携帯端末に音波送信させるように構成されていてもよい。
【００１８】
このようにすれば、携帯端末は、無線通信により接続可能なネットワークを介して通信装置にアクセスすることができ、しかも、通信装置にアクセスするのに要する接続用データは、音波送信によって通信装置から取得することになる。
【００１９】
このため、本開示の通信装置は、接続用データがネットワークを介して漏洩するのを防止し、携帯端末との間の通信を安全に実施することができる。
また、本開示の通信装置は、携帯端末とネットワークとの間の通信を中継するアクセスポイントであってもよい。この場合、制御部は、通信装置に接続するのに必要な接続用データを音波送信部から音波送信させ、その後、その接続用データに基づき通信部に携帯端末が接続されると、通信部を介して、携帯端末とネットワークに接続された他の通信端末との間で送受信されるデータを中継するよう構成されていてもよい。
【００２０】
このようにすれば、アクセスポイントを介してネットワークに接続可能な携帯端末を、
アクセスポイント近傍で音波が届く範囲内に位置する携帯端末に制限し、通信の安全性を高めることができる。
【図面の簡単な説明】
【００２１】
【図１】第１実施形態の決済システム全体の構成を表すブロック図である。
【図２】レジ用端末にて生成される音波データの構成を表す説明図である。
【図３】レジ用端末及び中継用端末にて実行される電子決済処理及び中継処理を表すフローチャートである。
【図４】使用者端末にて実行される支払い処理を表すフローチャートである。
【図５】第２実施形態の決済システム全体の構成を表すブロック図である。
【図６】第２実施形態の電子決済処理及び支払い処理を表すフローチャートである。
【図７】第３実施形態の通信システム全体の構成を表すブロック図である。
【図８】アクセスポイント及び使用者端末にて実行される接続用データ送信処理及び無線ＬＡＮ通信処理を表すフローチャートである。
【発明を実施するための形態】
【００２２】
以下に本発明の実施形態を図面と共に説明する。
［第１実施形態］
図１に示すように、本実施形態の決済システムは、店舗のキャッシュレジスター２に接続されたレジ用端末３０と、レジ用端末３０と使用者端末５０との間の通信を中継する中継用端末１０とを備える。
【００２３】
レジ用端末３０は、キャッシュレジスター２から客に対する請求書のデータを取得して、中継用端末１０を介して使用者端末５０に送信することで、使用者端末５０から、電子マネーやクレジットカードによる支払いデータを取得するためのものであり、中継用端末１０との間でＢＬＥ（Bluetooth Low Energy）による無線通信を行う無線通信部３２を備える。
【００２４】
また、レジ用端末３０には、無線通信部３２を介して中継用端末１０（詳しくは使用者端末５０）から取得した支払いデータに基づき、インターネット等の広域ネットワーク４上の電子決済用サーバ６にアクセスして、支払い代金を徴収するための決済処理を行う、決済処理部４０が備えられている。
【００２５】
この決済処理部４０は、ＣＰＵ、ＲＯＭ、ＲＡＭ等を含むマイコンにて構成されている。また、決済処理部４０には、各種データを表示するための表示部３４、使用者が外部操作によって各種指令やデータを入力するための操作部３６、及び、キャッシュレジスター２との間でデータの入出力を行う入出力部３８、が接続されている。
【００２６】
次に、中継用端末１０は、本開示の通信装置に相当するものであり、レジ用端末３０や使用者端末５０との間でＢＬＥによる無線通信を行うための無線通信部１２を備える。
また、中継用端末１０には、無線通信部１２を介して、レジ用端末３０と使用者端末５０との間でやりとりされる決済用データ（請求書データ、支払いデータ等）を中継する中継処理部２０が備えられている。なお、中継処理部２０は、ＣＰＵ、ＲＯＭ、ＲＡＭ等を含むマイコンにて構成されており、本開示の制御部として機能する。
【００２７】
また、中継用端末１０には、スピーカ１６と、スピーカ１６を介して通信用の超音波を送信するための音波送信部１４が備えられおり、中継処理部２０は、音波送信部１４を駆動して通信用の超音波を発生させ、スピーカ１６から送信させることができる。
【００２８】
なお、中継処理部２０は、レジ用端末３０から、使用者端末５０が中継用端末１０との
間でＢＬＥによる無線通信を行うのに必要な接続用データを音波送信するための音波データを取得し、その音波データに基づき、音波送信部１４に通信用の超音波を発生させる。
【００２９】
また、音波データは、例えば図２に示すように、中継用端末１０と使用者端末５０とが無線通信にて相互認証するのに要する識別情報であるＵＵＩＤ（Universally Unique Identifier：１６バイト））に、システム固有の識別情報（２バイト）と、種別情報を付与することで構成される。
【００３０】
次に、使用者端末５０は、店舗で支払いを行う客が所持する携帯端末であり、音声入力用のマイク５２と、ＢＬＥによる無線通信が可能な無線通信部６２と、マイク５２から入力された音声信号から音波データを復元し、その復元した音波データに基づき中継用端末１０との間で無線通信を行う通信制御部６０と、が備えられていればよい。
【００３１】
例えば、スマートフォン、タブレット端末、等の携帯端末には、通話用のマイク５２及びスピーカ５４が備えられ、これら各部は音声入出力部５６を介して通信制御部６０に接続されている。なお、通信制御部６０は、ＣＰＵ、ＲＯＭ、ＲＡＭ等を含むマイコンにて構成される。
【００３２】
また、この種の携帯端末には、所定の電話回線網に接続するための電話回線通信部５８、表示部６４、操作部６６、外部機器に有線にて接続されてデータを入出力するための入出力部６８に加えて、ＢＬＥによる無線通信が可能な無線通信部６２が備えられている。
【００３３】
そして、これら各部は、通信制御部６０に接続され、通信制御部６０は、無線通信部６２や電話回線通信部５８を介して、外部機器との間で無線通信によるデータの送受信を行うことができる。
【００３４】
このため、店舗の客は、使用者端末５０として、スマートフォンやタブレット端末を利用すれば、使用者端末５０とレジ用端末３０との間で決済用データを送受信させて、購入物等の代金を支払うことができる。
【００３５】
次に、こうした電子決済のためにレジ用端末３０、中継用端末１０及び使用者端末５０にて、それぞれ実行される電子決済処理、中継処理及び支払い処理について説明する。
図３に示すように、中継用端末１０の中継処理部２０は、レジ用端末３０から決済用データである請求書データを取得するために、Ｓ１１０（Ｓはステップを表す）にて、予め設定されているレジ用ＵＵＩＤ１を無線通信部１２から定期的に送信することで経路広告を行う、所謂アドバタイズを開始する。そして、続くＳ１２０では、その経路広告に対し、レジ用端末３０が応答してくるのを待機する。
【００３６】
一方、レジ用端末３０においては、客が物品等を購入してキャッシュレジスター２に購入代金等が入力されると、入出力部３８を介して、キャッシュレジスター２から決済処理部４０に購入代金を含む請求書データが入力される。
【００３７】
このため、レジ用端末３０の決済処理部４０は、Ｓ３１０にて、その入力された請求書データを取得し、続くＳ３２０にて、無線通信部３２で、中継用端末１０から送信されたレジ用ＵＵＩＤ１が受信されるのを待機する。
【００３８】
また、決済処理部４０は、Ｓ３２０にて、レジ用ＵＵＩＤ１が受信されたと判断すると、Ｓ３３０に移行して、無線通信部３２からレジ用ＵＵＩＤ１にて接続要求を送信することで、中継用端末１０との間でレジ用ＵＵＩＤ１による無線回線を接続する。
【００３９】
そして、決済処理部４０は、レジ用ＵＵＩＤ１にて中継用端末１０との無線回線を接続すると、Ｓ３４０にて、決済用ＵＵＩＤをランダムに生成して、中継用端末１０に送信し、Ｓ３５０にて、音波通信用の音波データを生成して、中継用端末１０に送信し、Ｓ３６０にて、キャッシュレジスター２から取得した請求書データを、中継用端末１０に送信する。
【００４０】
なお、Ｓ３５０にて生成される音波データは、図２に示したデータ構成になっており、１６バイトのＵＵＩＤには、Ｓ３４０にて生成された決済用ＵＵＩＤが付与される。
また、決済処理部４０は、Ｓ３６０にて、請求書データを送信すると、Ｓ３７０に移行して、レジ用ＵＵＩＤ１にて接続された無線回線を切断する。
【００４１】
これに対し、中継用端末１０の中継処理部２０は、Ｓ１２０で、レジ用ＵＵＩＤ１による接続要求によって、レジ用端末３０との間の無線回線が接続されたと判断されると、Ｓ１３０に移行して、レジ用端末３０から送信されてくる決済用ＵＵＩＤ、音波データ、及び請求書データを取得する。
【００４２】
そして、続くＳ１４０では、Ｓ１３０で取得した決済用ＵＵＩＤによるアドバタイズを開始し、Ｓ１５０にて、Ｓ１３０で取得した音波データを音波送信部１４に出力することで、音波送信部１４から音波データに対応した超音波を発生させて、スピーカ１６から送信させる。
【００４３】
スピーカ１６から送信させた超音波は、使用者端末５０のマイク５２で受信できることから、使用者端末５０の所有者である客は、料金の支払いを電子マネーやクレジットカードによる電子決済にて行う際には、使用者端末５０の通信制御部６０に対し、図４に示す支払い処理を実施させる。
【００４４】
そして、使用者端末５０の通信制御部６０は、支払い処理を実行することにより、中継用端末１０から音波送信された決済用ＵＵＩＤにて、中継用端末１０との間の無線回線を接続し、決済用のデータを送受信する。なお、この支払い処理の詳細については、後述する。
【００４５】
このため、中継用端末１０の中継処理部２０は、Ｓ１５０にて音波送信を開始すると、Ｓ１６０に移行し、Ｓ１４０にて開始したアドバタイズに対応して使用者端末５０から決済用ＵＵＩＤにて接続要求が送信され、使用者端末５０との無線回線が接続されるのを待つ。
【００４６】
そして、決済用ＵＵＩＤによる使用者端末５０との無線回線が接続されると、Ｓ１７０に移行し、Ｓ１３０でレジ用端末３０から取得した請求書データを、使用者端末５０に送信する。また、続くＳ１８０では、送信した請求書データに対応して使用者端末５０から送信されてくる支払いデータを取得する。
【００４７】
なお、支払いデータは、請求書データにて指定された料金の支払いを電子マネーやクレジットカードにより支払うことを表すデータであり、客が使用者端末５０を操作して料金の支払いを承認した際に、無線通信部６２から決済用ＵＵＩＤにて送信される。
【００４８】
こうして、Ｓ１８０にて支払いデータを取得すると、中継処理部２０は、Ｓ１９０に移行して、予め設定されているレジ用ＵＵＩＤ２にてアドバタイズを開始する。また、続くＳ２１０では、そのアドバタイズに対しレジ用端末３０が応答し、レジ用端末３０との間の無線回線が接続されるのを待機する。
【００４９】
そして、レジ用ＵＵＩＤ２にてレジ用端末３０との間の無線回線が接続されると、Ｓ２２０に移行して、Ｓ１８０で使用者端末５０から取得した支払いデータを、レジ用ＵＵＩＤ２にてレジ用端末３０へ送信し、Ｓ１１０に移行する。
【００５０】
これに対し、レジ用端末３０の決済処理部４０は、Ｓ３７０にてレジ用ＵＵＩＤ１による無線回線を切断した後は、Ｓ３８０に移行し、無線通信部３２にて中継用端末１０からのレジ用ＵＵＩＤ２が受信されるのを待機する。
【００５１】
そして、Ｓ３８０にてレジ用ＵＵＩＤ２が受信されたと判断すると、Ｓ３９０に移行し、無線通信部３２からレジ用ＵＵＩＤ２にて接続要求を送信することで、中継用端末１０との間でレジ用ＵＵＩＤ２による無線回線を接続する。
【００５２】
こうして、中継用端末１０との間でレジ用ＵＵＩＤ２による無線回線が接続されると、その無線回線を利用して中継用端末１０から支払いデータが送信されてくるので、続くＳ４００では、その支払いデータを受信する。また、Ｓ４００にて、支払いデータを受信すると、Ｓ４１０に移行して、レジ用ＵＵＩＤ２にて接続された無線回線を切断する。
【００５３】
そして、続くＳ４２０では、Ｓ４００にて受信した支払いデータに基づき、広域ネットワーク４上の電子決済用サーバ６にアクセスして、支払い代金を徴収する決済処理を実行する。また、Ｓ４２０では、決済処理による支払い代金の徴収結果をキャッシュレジスター２に通知し、徴収結果の通知後は、Ｓ３１０に移行する。
【００５４】
次に、使用者端末５０の通信制御部６０にて実行される支払い処理について説明する。
この支払い処理は、通信制御部６０が実行するアプリケーションプログラム（所謂アプリ）の一つとして使用者端末５０の所有者である客が選択することにより、通信制御部６０にて実行される処理である。
【００５５】
そして、この支払い処理では、図４に示すように、Ｓ５１０にて、マイク５２にて通信用の音波が受信されたか否かを判定することで、音波が受信されるのを待機し、音波が受信されると、Ｓ５２０に移行して、その受信された音波を音波データに変換することで、識別情報及び決済用ＵＵＩＤを復元する。
【００５６】
次に、Ｓ５３０では、Ｓ５２０にて復元した識別情報は、当該支払い処理のアプリ（換言すれば当該決算システム）用の識別情報と一致しているか否かを判断し、識別情報が当該アプリの識別情報と一致していれば、Ｓ５４０に移行し、識別情報が一致していなければ、Ｓ５１０に移行する。
【００５７】
Ｓ５４０では、Ｓ５２０にて音波データから復元した決済用ＵＵＩＤと同じＵＵＩＤを含むデータが無線通信部６２で受信されたか否かを判断することで、無線通信部６２にて決済用ＵＵＩＤが受信されるのを待機する。
【００５８】
そして、無線通信部６２にて決済用ＵＵＩＤが受信されると、Ｓ５５０に移行し、その決済用ＵＵＩＤを含む接続要求を無線通信部６２から送信させることで、中継用端末１０との間で決済用ＵＵＩＤによる無線回線を接続する。
【００５９】
このように決済用ＵＵＩＤによる無線回線が接続されると、その無線回線を利用して、中継用端末１０から請求書データが送信されてくるので、続くＳ５６０では、請求書データを受信し、Ｓ５７０にて、その請求書データに対応した支払い処理を実行する。
【００６０】
この支払い処理は、例えば、請求書データの内容（支払い代金やその明細等）を表示部
６４に表示し、使用者が操作部６６を操作して代金の支払い方法を指定して支払いを承認するのを待つ、といった手順で実施され、料金の支払いが承認されると、Ｓ５８０に移行する。
【００６１】
そして、Ｓ５８０では、使用者が指定した支払い方法で料金を支払うことを表す支払いデータを生成し、その支払いデータに決済用ＵＵＩＤを付与して、無線通信部６２から中継用端末１０に送信させる。また、支払いデータの送信後は、Ｓ５９０に移行して、決済用ＵＵＩＤによる中継用端末１０との間の無線回線を切断し、Ｓ５１０に移行する。
【００６２】
以上説明したように、本実施形態の決済システムにおいては、レジ用端末３０が、中継用端末１０を介して、使用者端末５０との間で決済用データを送受信するように構成されている。そして、中継用端末１０は、使用者端末５０との間で決済用データを送受信する際、相互認証するのに要する識別情報である決済用ＵＵＩＤをレジ用端末３０から取得し、使用者端末５０には、レジ用端末３０にて生成された音波データを音波にて送信することで、決済用ＵＵＩＤを通知する。
【００６３】
このため、中継用端末１０と使用者端末５０との間で決済用データ（請求書データ、支払いデータ）を送受信する際には、レジ用端末３０にて生成された決済用ＵＵＩＤが使用され、その通信により決済用データが外部に漏れるのを抑制できる。
【００６４】
また決済用ＵＵＩＤは、レジ用端末３０にて、決済の度にランダムに生成されることから、決済用ＵＵＩＤが外部に漏れて、悪用されることも抑制できる。
よって、本実施形態の決済システムによれば、客が所有する携帯端末を使用者端末５０として利用するようにしても、決済用データを安全に送受信することができるようになる。
［第２実施形態］
本実施形態は、第１実施形態と同様の決済システムであり、本開示の通信装置として、店舗内のＬＡＮ（Local Area Network）８に接続された無線ＬＡＮ用のアクセスポイント（ＡＰ）７０との間で無線通信可能なレジ用端末３０を備える。
【００６５】
図５に示すように、本実施形態のレジ用端末３０は、第１実施形態のものと略同様に構成されており、第１実施形態と異なる点は、下記の通りである。
すなわち、本実施形態のレジ用端末３０には、第１実施形態のＢＬＥによる無線通信部３２に代えて、アクセスポイント７０との間で無線通信するための無線通信部４２が備えられている。
【００６６】
また、レジ用端末３０には、音波送信部４４及びスピーカ４６も備えられており、決済処理部４０には、無線通信部４２及び音波送信部４４も接続されている。なお、決済処理部４０は、本開示の制御部として機能する。
【００６７】
このため、決済処理部４０は、無線通信部４２、アクセスポイント７０、ＬＡＮ８、及び、ルータを含むゲートウェイ９を介して、インターネット等の広域ネットワーク４に接続されて、広域ネットワーク４上の電子決済用サーバ６との間で通信することができる。
【００６８】
また、決済処理部４０は、音波送信部４４及びスピーカ４６を介して、無線ＬＡＮを利用してレジ用端末３０に接続するのに要する接続用データ（レジ用端末３０のアドレスや接続のためのＩＤ等）を、音波送信することができる。
【００６９】
また、無線ＬＡＮ用のアクセスポイント７０には、使用者端末５０からも接続可能であるため、決済処理部４０は、音波送信した通信データに基づき無線ＬＡＮ経由でアクセス
してきた使用者端末５０との間で、決済用データを送受信することができる。
【００７０】
そこで次に、本実施形態のレジ用端末３０の決済処理部４０及び使用者端末５０の通信制御部６０にて実行される、電子決済処理及び支払い処理について、図６に示すフローチャートに沿って説明する。
【００７１】
なお、図５に示すように、使用者端末５０には、無線ＬＡＮのアクセスポイント７０に接続するための無線通信部６３が備えられているが、こうした携帯端末の構成は一般的であり、使用者端末５０の他の構成は第１実施形態のものと同様であるため、使用者端末５０の構成については、詳細な説明は省略する。
【００７２】
図６に示すように、レジ用端末３０の決済処理部４０は、Ｓ６１０にて、キャッシュレジスター２から、客の購入金額に対する電子決済が要求されたか否かを判断することにより、電子決済が要求されるのを待ち、電子決済が要求されると、Ｓ６２０に移行する。
【００７３】
Ｓ６２０では、無線ＬＡＮ経由でレジ用端末３０に接続するのに要する接続用データを生成し、続くＳ６３０にて、その接続用データから音波通信用の音波データを生成する。また、Ｓ６３０では、生成した音波データを音波送信部４４に出力することで、スピーカ４６から音波データに対応した音波（超音波）を送信させる。
【００７４】
このようにスピーカ４６から送信された超音波は、使用者端末５０のマイク５２で受信できることから、使用者端末５０の所有者である客は、料金の支払いを電子マネーやクレジットカードによる電子決済にて行う際には、使用者端末５０の通信制御部６０に対し支払い処理を実施させる。
【００７５】
この支払い処理では、図６に示すように、Ｓ７１０にて、マイク５２にて通信用の音波が受信されたか否かを判定することで、音波が受信されるのを待機し、音波が受信されると、Ｓ７２０に移行して、その受信された音波を音波データに変換することで、接続用データを復元する。
【００７６】
そして、Ｓ７３０では、Ｓ７２０にて復元した接続用データに基づき、アクセスポイント７０を利用した無線ＬＡＮ経由で、レジ用端末３０に接続し、続くＳ７４０にて、レジ用端末３０との間で請求書データや支払いデータを送受信する決済用通信を実施する。
【００７７】
また、Ｓ７４０で決済用通信を実施した後は、Ｓ７５０に移行して、無線ＬＡＮ経由でのレジ用端末３０との接続を遮断し、続くＳ７６０にて、決済用通信による料金の支払い結果を表示部６４に表示し、メモリに記憶した後、Ｓ７１０に移行する。
【００７８】
このため、レジ用端末３０の決済処理部４０は、Ｓ６３０での接続用データの音波送信を開始した後は、Ｓ６４０に移行して、無線ＬＡＮ経由で無線通信部４２に使用者端末５０が接続されたか否かを判断することで、使用者端末５０が接続されるのを待機する。
【００７９】
そして、使用者端末５０が接続されると、Ｓ６５０に移行して、使用者端末５０との間で決済用通信を実施して、使用者端末５０から電子決済用の支払いデータを取得し、続くＳ６６０にて、無線ＬＡＮ経由での使用者端末５０との接続を遮断する。
【００８０】
次に、Ｓ６７０では、Ｓ６５０で取得した支払いデータに基づき広域ネットワーク４上の電子決済用サーバ６にアクセスして、支払い代金を徴収する決済処理を実行する。また、Ｓ６７０では、決済処理による支払い代金の徴収結果をキャッシュレジスター２に通知し、徴収結果の通知後、Ｓ６１０に移行する。
【００８１】
このように、本実施形態のレジ用端末３０は、無線ＬＡＮ経由で使用者端末５０と直接通信するように構成されており、使用者端末５０が無線ＬＡＮ経由でレジ用端末３０に接続するのに要する接続用データを、音波送信にて使用者端末５０に通知する。
【００８２】
このため、本実施形態の決済システムにおいては、レジ用端末３０が使用者端末５０との間で決済用データ（請求書データ、支払いデータ）を送受信するのに必要な接続用データが外部に漏れて、決済用データが盗用されるのを抑制することができる。
【００８３】
また、Ｓ６２０にて接続用データを生成する際に、接続用データを構成するＩＤ等の識別情報をランダムに生成するようにすれば、決済用通信を実施する度に、接続用データを更新することができ、決済用データが盗用されるのをより確実に抑制できる。
［第３実施形態］
本実施形態は、本開示の技術を、無線ＬＡＮのアクセスポイント７０に適用した通信システムである。
【００８４】
図７に示すように本実施形態の通信システムは、本開示の通信装置として、無線ＬＡＮを利用する使用者が所持する携帯端末（第２実施形態と同様に構成された使用者端末５０）からアクセス可能な無線ＬＡＮ用のアクセスポイント７０を備える。
【００８５】
本実施形態のアクセスポイント７０には、無線ＬＡＮ用の無線通信部７２と、無線通信部７２にアクセスしてきた使用者端末５０とＬＡＮ８に接続された他の通信機器との間の通信を制御する通信制御部８０が備えられている。
【００８６】
なお、通信制御部８０は、ＣＰＵ、ＲＯＭ、ＲＡＭ等を含むマイコンにて構成されており、本開示の制御部として機能する。
また、アクセスポイント７０には、音波送信用のスピーカ７６と、スピーカ７６から超音波を送信させるための音波送信部７４が備えられおり、音波送信部７４は、通信制御部８０に接続されている。
【００８７】
このため、アクセスポイント７０において、通信制御部８０は、音波送信部７４を駆動して通信用の超音波を発生させ、スピーカ７６から送信させることができる。
そして、通信制御部８０は、アクセスポイント７０近傍の使用者端末５０に対し、音波送信部７４を介して、アクセスポイント７０へ接続するのに必要な接続用データ（この場合、ＳＳＩＤ、セキュリティコード、等）を音波送信させる、接続用データ送信処理を実行する。
【００８８】
図８に示すように、接続用データ送信処理では、Ｓ８１０にて、セキュリティコードをランダムに生成し、Ｓ８２０にて、その生成したセキュリティコードとアクセスポイント固有のＳＳＩＤとから、音波送信用の送信データを生成する。そして、続くＳ８３０にて、その生成した送信データを音波送信部７４に出力することで、スピーカ７６から送信データに対応した音波を発生させる。
【００８９】
また、Ｓ８３０にて音波送信を開始すると、続くＳ８４０にて、設定時間が経過したか否かを判断し、設定時間が経過していなければ、再度Ｓ８３０に移行することで、音波送信を継続し、設定時間が経過していれば、Ｓ８１０に移行する。
【００９０】
このため、アクセスポイント７０からは、設定時間毎に更新されるセキュリティコードとＳＳＩＤとを含む送信データが音波にて送信されることになる。
従って、アクセスポイント７０付近で、その音波を受信可能な使用者端末５０は、図８
に示す無線ＬＡＮ通信処理を実行することで、アクセスポイント７０に接続して、無線ＬＡＮ経由でＬＡＮ８や外部の広域ネットワーク４に接続できるようになる。
【００９１】
なお、使用者端末５０の通信制御部６０においては、無線ＬＡＮ通信処理が実行されると、まずＳ９１０にて、マイク５２にて通信用の音波が受信されたか否かを判定することで、音波が受信されるのを待機する。
【００９２】
そして、音波が受信されると、Ｓ９２０に移行して、その受信データから接続用データであるＳＳＩＤとセキュリティコードを復元し、Ｓ９３０にて、その復元した接続用データを使って、無線通信部６３をアクセスポイント７０に接続する。
【００９３】
また、接続後は、Ｓ９４０にて、アクセスポイント７０を利用した無線ＬＡＮによる通信処理を実行する。また、通信処理実行中は、Ｓ９５０にて、アクセスポイント７０からセキュリティコードの変更要求があったか否かを判断する。そして、セキュリティコードの変更要求があれば、Ｓ９１０に移行し、セキュリティコードの変更要求がなければ、Ｓ９４０の通信処理を継続して実行する。
【００９４】
このため、使用者端末５０は、アクセスポイント７０から送信された音波（超音波）を受信可能な領域内にあれば、アクセスポイント７０を介して無線ＬＡＮによる所望の通信処理を実行できる。
【００９５】
また、使用者の移動によって使用者端末５０がアクセスポイント７０から離れ、音波送信にてアクセスポイント７０から通知される最新のセキュリティコードを受信できなくなると、アクセスポイント７０を利用した通信処理を実行できなくなる。
【００９６】
従って、本実施形態の通信システムによれば、アクセスポイント７０にアクセス可能な使用者端末５０を、アクセスポイント７０付近の使用者端末５０に制限することができる。
【００９７】
また、セキュリティコードが定期的に更新されるため、アクセスポイント７０とは異なる他の通信装置をアクセスポイント７０として偽装し、使用者端末５０から情報を付勢に入手することも困難であり、無線通信の安全性を向上することができる。
【００９８】
以上、本開示を実施するための形態について説明したが、本開示は上述の実施形態に限定されることなく、種々変形して実施することができる。
例えば、第１実施形態では、レジ用端末３０と中継用端末１０とは、レジ用ＵＵＩＤ１及びレジ用ＵＵＩＤ２を利用した無線通信にて、決済用データや音波データを送受信するものとしたが、レジ用端末３０と中継用端末１０とは通信用の伝送線にて接続し、決済用データや音波データは伝送線を介して送受信するようにしてもよい。
【００９９】
また、第１実施形態においては、音波送信部１４やスピーカ１６をレジ用端末３０に設けることで、レジ用端末３０が直接使用者端末５０との間で音波通信及び無線通信を行うようにしてもよい。
【０１００】
また、第１実施形態では、無線通信部１２、３２、６２は、ＢＬＥによる無線通信を行うものとして説明したが、これら各部は、必ずしもＢＬＥを利用する必要はなく、ＵＵＩＤ等による識別情報にて通信先を特定して近距離無線通信を実施することができればよい。
【０１０１】
一方、第２実施形態では、使用者端末５０には、無線ＬＡＮに接続するための無線通信
部６３が備えられていて、レジ用端末３０との間の決済用通信は、無線ＬＡＮ経由で実施されるものとして説明したが、使用者端末５０は、電話回線通信部５８を介して、レジ用端末３０との間の決済用通信を実施するように構成されていてもよい。
【０１０２】
つまり、使用者端末５０は、電話回線網を介して広域ネットワーク４に接続することができることから、広域ネットワーク４経由でレジ用端末３０にアクセスし、決済用通信を実施するようにしてもよい。
【０１０３】
また、第２実施形態において、レジ用端末３０は、必ずしも無線ＬＡＮ経由でＬＡＮ８や広域ネットワーク４に接続するように構成する必要はなく、店舗内のＬＡＮ８に有線にて接続するようにしてもよい。
【０１０４】
また、第３実施形態の通信システムは、第２実施形態において、使用者端末５０がアクセスポイント７０に接続するのに利用するようにしてもよい。
また、上記実施形態における１つの構成要素が有する複数の機能を、複数の構成要素によって実現したり、１つの構成要素が有する１つの機能を、複数の構成要素によって実現したりしてもよい。また、複数の構成要素が有する複数の機能を、１つの構成要素によって実現したり、複数の構成要素によって実現される１つの機能を、１つの構成要素によって実現したりしてもよい。また、上記実施形態の構成の一部を省略してもよい。また、上記実施形態の構成の少なくとも一部を、他の上記実施形態の構成に対して付加又は置換してもよい。なお、特許請求の範囲に記載した文言のみによって特定される技術思想に含まれるあらゆる態様が本開示の実施形態である。
【符号の説明】
【０１０５】
４…広域ネットワーク、８…ＬＡＮ、１０…中継用端末、１２…無線通信部、１４…音波送信部、１６…スピーカ、２０…中継処理部、３０…レジ用端末、３２…無線通信部、３４…表示部、３６…操作部、３８…入出力部、４０…決済処理部、４２…無線通信部、４４…音波送信部、４６…スピーカ、５０…使用者端末、５２…マイク、５４…スピーカ、５６…音声入出力部、５８…電話回線通信部、６０…通信制御部、６２，６３…無線通信部、６４…表示部、６６…操作部、６８…入出力部、７０…アクセスポイント、７２…無線通信部、７４…音波送信部、７６…スピーカ、８０…通信制御部。
【図１】
2018195917.tif 000003
【図２】
2018195917.tif 000004
【図３】
2018195917.tif 000005
【図４】
2018195917.tif 000006
【図５】
2018195917.tif 000007
【図６】
2018195917.tif 000008
【図７】
2018195917.tif 000009
【図８】
2018195917.tif 000010